(57)【要約】【課題】医用画像データの撮影部位を直感的に把握し、必要な医用画像データを効率的に選択可能にする。【解決手段】医用画像表示装置は、身体モデルの表示方向と医用画像データの撮影方向とに基づいて、各医用画像データの優先順位を決定する（Ｓ１０２）。そして、医用画像表示装置は、各医用画像データの優先順位に従って、各医用画像データを身体モデル上に表示させる（Ｓ１０３）。【選択図】図４
2014073156.tif 000002
【特許請求の範囲】
【請求項１】
各医用画像データを、当該医用画像データの撮影部位に該当する身体モデル上の位置に表示させる表示制御手段と、
前記身体モデルの表示方向と前記各医用画像データの撮影方向とに基づいて、前記各医用画像データの優先順位を決定する決定手段とを有し、
前記表示制御手段は、前記決定手段により決定された前記各医用画像データの優先順位に従って、前記各医用画像データを前記身体モデル上に表示させることを特徴とする医用画像表示装置。
【請求項２】
撮影部位が近傍に位置する複数の医用画像データにより画像グループを生成する生成手段を更に有し、
前記表示制御手段は、前記生成手段により生成された前記画像グループを前記身体モデル上に表示させることを特徴とする請求項１に記載の医用画像表示装置。
【請求項３】
前記生成手段は、所定の表示基準を満たしていない前記複数の医用画像データにより前記画像グループを生成することを特徴とする請求項２に記載の医用画像表示装置。
【請求項４】
前記表示制御手段は、前記画像グループに含まれる前記複数の医用画像データの一覧表示を行うことを特徴とする請求項２又は３に記載の医用画像表示装置。
【請求項５】
前記表示制御手段は、前記決定手段により前記複数の医用画像データについて決定された優先順位に従って、前記複数の医用画像データの一覧表示を行うことを特徴とする請求項４に記載の医用画像表示装置。
【請求項６】
前記決定手段は、さらに、当該医用画像データの撮影日時、当該医用画像データの更新日時、及び、当該医用画像データを撮影した装置の種類のうちの少なくとも何れか一つに基づいて、前記各医用画像データの優先順位を決定することを特徴とする請求項１乃至５の何れか１項に記載の医用画像表示装置。
【請求項７】
前記決定手段は、回転後の前記身体モデルの表示方向と当該医用画像データの撮影方向とに基づいて、前記各医用画像データの優先順位を決定することを特徴とする請求項１乃至６の何れか１項に記載の医用画像表示装置。
【請求項８】
医用画像表示装置によって実行される医用画像表示方法であって、
各医用画像データを、当該医用画像データの撮影部位に該当する身体モデル上の位置に表示させる表示制御ステップと、
前記身体モデルの表示方向と前記各医用画像データの撮影方向とに基づいて、前記各医用画像データの優先順位を決定する決定ステップとを有し、
前記表示制御ステップは、前記決定ステップにより決定された前記各医用画像データの優先順位に従って、前記各医用画像データを前記身体モデル上に表示させることを特徴とする医用画像表示方法。
【請求項９】
各医用画像データを、当該医用画像データの撮影部位に該当する身体モデル上の位置に表示させる表示制御ステップと、
前記身体モデルの表示方向と前記各医用画像データの撮影方向とに基づいて、前記各医用画像データの優先順位を決定する決定ステップとをコンピュータに実行させ、
前記表示制御ステップは、前記決定ステップにより決定された前記各医用画像データの優先順位に従って、前記各医用画像データを前記身体モデル上に表示させることを特徴とするプログラム。
【発明の詳細な説明】
【技術分野】
【０００１】
本発明は、医用画像データを表示する技術に関するものである。
【背景技術】
【０００２】
近年、医用画像診断装置が発達し、医療分野において、医用画像は病理診断を行うのに不可欠な存在となっている。また、撮影できる部位やその頻度が増えているため、扱われる医用画像が増加し続けている。通常、これらの膨大な医用画像は、院内又は院外の画像サーバに保存され、担当医は、画像サーバとネットワークを介して接続される医用画像表示装置にて医用画像を読み出すことにより読影を行っている。医用画像は、診断のときのみならず、患者に対する検査結果説明（インフォームドコンセント）及び医療カンファレンス等の説明資料や学会発表時にも用いられ、膨大な医用画像の中から必要な情報を見つけることに非常に時間がかかっている。
【０００３】
このような医師の負担を軽減するために、特許文献１には、医用画像をリスト表示し、表示されたリストがどのような属性を有するのかを視覚的に判別できるようにすることにより、作業効率の向上を図る技術が開示されている。また、特許文献２には、ポインタが重ねられた部位の詳細図を外観図に重ねて表示し、診断結果や治療方法等を簡便に説明することができる技術が開示されている。
【先行技術文献】
【特許文献】
【０００４】
【特許文献１】特開２００８−２６４１６７号公報
【特許文献２】特開２００８−２５０８９７号公報
【発明の概要】
【発明が解決しようとする課題】
【０００５】
しかしながら、特許文献１に開示された技術では、各部位に分割された部位像によって医用画像の属性情報をグラフィカルに表示させることはできるが、医用画像に記録されている部位を詳細に表示させることはできない。また、医用画像に付加された情報しか表示されないため、医用画像を開かなければ、当該医用画像を確認することができなかった。特許文献２に開示された技術では、医用画像を身体部位の外観図に重ねて表示させるため、医用画像に記録されている部位を直感的に把握することができるが、膨大な医用画像の中から必要な医用画像を探すことまで考慮されていない。
【０００６】
そこで、本発明の目的は、医用画像データの撮影部位を直感的に把握し、必要な医用画像データを効率的に選択可能にすることにある。
【課題を解決するための手段】
【０００７】
本発明の医用画像表示装置は、各医用画像データを、当該医用画像データの撮影部位に該当する身体モデル上の位置に表示させる表示制御手段と、前記身体モデルの表示方向と前記各医用画像データの撮影方向とに基づいて、前記各医用画像データの優先順位を決定する決定手段とを有し、前記表示制御手段は、前記決定手段により決定された前記各医用画像データの優先順位に従って、前記各医用画像データを前記身体モデル上に表示させることを特徴とする。
【発明の効果】
【０００８】
本発明によれば、医用画像データの撮影部位を直感的に把握することができ、必要な医用画像データを効率的に選択することが可能となる。
【図面の簡単な説明】
【０００９】
【図１】本発明の実施形態に係る医用画像表示装置１０の構成を示す図である。
【図２】ディスプレイにおける画像データの表示例を示す図である。
【図３】本発明の第１の実施形態における検査画像エリアの画面例を示す図である。
【図４】本発明の第１の実施形態に係る医用画像表示装置の処理を示すフローチャートである。
【図５】本発明の第２の実施形態における検査画像エリアの画面例を示す図である。
【図６】本発明の第２の実施形態に係る医用画像表示装置の処理を示すフローチャートである。
【発明を実施するための形態】
【００１０】
以下、本発明を適用した好適な実施形態を、添付図面を参照しながら詳細に説明する。なお、以下の実施形態において示す構成は飽くまでも一例に過ぎず、本発明を限定するものではない。
【００１１】
先ず、本発明の第１の実施形態について説明する。図１は、本発明の第１の実施形態に係る医用画像表示装置１０の構成を示す図である。図１において、ＣＰＵ２００は、バス２０３を介して接続される各デバイスを統括的に制御する。ＣＰＵ２００は、読み出し専用メモリ（ＲＯＭ）２０２、又は、ストレージＩ／Ｆ２０６を介して接続されるストレージ１０３から、オペレーションシステム（ＯＳ）や本実施形態の特徴的な処理に係るプログラムやデータを、ランダムアクセスメモリ（ＲＡＭ）２０１に一時的に読み出して実行する。
【００１２】
ＲＡＭ２０１は、高速アクセス可能なＣＰＵ２００の主メモリやワークエリア等として用いられる。ディスプレイＩ／Ｆ２０４は、画像処理装置１００内部で生成される画像データをディスプレイ１０１において処理可能な信号に変換する。入力Ｉ／Ｆ２０５は、キーボードやマウス等の入力機器に対するユーザの操作に応じた入力を受け付ける。ストレージＩ／Ｆ２０６は、画像処理装置１００内部で利用可能なデータ形式とストレージ１０３に記憶するためのデータ形式との間の変換処理を行う。
【００１３】
ストレージ１０３は、画像処理装置１００内部に搭載されるハードディスクドライブ装置である。多くの医療現場では、医用画像表示装置１０によって取得された医用画像データをＰＡＣＳ（Picture Archiving and Communication System）によって保持している場合が多い。本実施形態においても、医用画像表示装置１０をＰＡＣＳサーバ１１と接続させている。医用画像データは、ＰＡＣＳサーバ１１内の外部ストレージに保存され、医用画像表示装置１０によって閲覧されるものとする。但し、医用画像データは、ストレージ１０３に保存されていてもよく、ストレージＩ／Ｆ２０６、各種ネットワークＩ／Ｆ又は外部メモリＩ／Ｆ等により画像処理装置１００で読み取り可能であればよい。
【００１４】
図２は、ディスプレイ１０１における画像データの表示例を示す図である。本実施形態では、医療カンファレンスの資料作成の準備段階において、医療カンファレンスにて議論される被検体（患者）の医用画像データの中から必要な医用画像データを指定するユースケースを想定している。
【００１５】
ディスプレイ１０１の表示部の上部には、患者の基本情報が表示される患者情報エリア３００が設けられている。患者情報エリア３００には、患者名、患者の写真、性別、年齢、血液型及び主治医等が表示される。ディスプレイ１０１の表示部の左側には、患者の診療情報が表示される診療情報エリア３０１が設けられている。診療情報エリア３０１には、現在までの病歴、診断情報及び手術の術式等が表示される。診療情報エリア３０１の右側には、指定画像エリア３０２が設けられている。指定画像エリア３０２には、医療カンファレンスにおいて術式決定に至った根拠を説明する場合に使用される医用画像データや当該医用画像データと比較するための比較画像データ等、多くの医用画像データの中から指定された医用画像データが表示される。指定画像エリア３０２の右側には、検査画像エリア３０３が設けられている。検査画像エリア３０３には、縮小された医用画像データ５００が表示される。即ち、検査画像エリア３０３には、ストレージＩ／Ｆ２０６等を介してＰＡＣＳサーバ１１から読み込まれ、縮小された医用画像データ５００が表示される。なお、検査画像エリア３０３に表示される医用画像データ５００のうち、所望の医用画像データが指定されると、指定された医用画像データは指定画像エリア３０２に格納される。
【００１６】
図３は、第１の実施形態における検査画像エリア３０３の画面例を示す図である。以下、図３を参照しながら、身体モデルと医用画像データとの表示方法について説明する。
【００１７】
図３（ａ）は、検査画像エリア３０３の初期画面例を示している。検査画像エリア３０３には、身体モデル４００が表示される。医用画像データ５００には、当該医用画像データ５００の撮影部位が付与されており、医用画像データ５００は、その撮影部位に該当する身体モデル４００上の位置に重畳表示される。図３の例では、初期画面で身体モデル４００の全部を表示させているが、全ての医用画像データ５００を表示させることができれば、身体モデル４００の一部を表示させてもよい。本実施形態では、医用画像データ５００上の任意の位置を撮影部位として設定することができる。例えば、医用画像データ５００内に腫瘍等の重要な注目部位があれば、その注目部位を当該医用画像データ５００の撮影部位として設定することができる。
【００１８】
本実施形態においては、身体モデル４００の表示方向と医用画像データ５００の撮影方向とを比較することにより、各医用画像データ５００の優先順位を決定する。例えば、図２の検査画像エリア３０３においては、身体モデル４００が正面方向から表示されているため、身体モデル４００上に表示される医用画像データ５００のうち、正面から撮影された医用画像データに対して高い優先順位が決定される。なお、医用画像データの撮影方向のほか、医用画像データの撮影日時、医用画像データの更新日時、及び、医用画像データを撮影した医用画像撮影装置の種類等を考慮して、各医用画像データ５００の優先順位を決定してもよい。また、優先順位を決定する際には、医師の診断を支援する計算機支援診断（Computer-Aided Diagnosis、ＣＡＤ）の結果を考慮してもよい。本実施形態においては、高い優先順位の医用画像データである程、前面に表示させるようにしているが、高い優先順位の医用画像データである程、大きく表示したり、優先順位に従って医用画像データの外形線の色を変更したりしてもよい。
【００１９】
図３（ｂ）〜図３（ｄ）は、図３（ａ）に示す検査画像エリア３０３の初期画面から身体モデル４００の移動操作が行われた場合の検査画像エリア３０３の画面例を示している。ここでは、移動操作の方法として、代表的な入力機器であるマウス及びキーボード（不図示）を使用した場合の例を挙げて説明するが、これに限定されるものではなく、例えばタッチパネル等の他の入力機器を用いて身体モデル４００を操作してもよい。
【００２０】
図３（ｂ）は、図３（ａ）に示す検査画像エリア３０３の初期画面から身体モデル４００が左に移動された場合の検査画像エリア３０３の画面表示例を示している。ユーザは、医用画像データ５００上を除く検査画像エリア３０３の領域内にポインタが表示されている状態において、マウスの左のボタンをクリックし、キーボード上のｃｔｒｌキーを押しながらマウスを左にドラッグする。これにより、身体モデル４００を左に移動させることができる。
【００２１】
図３（ｃ）は、図３（ａ）に示す検査画像エリア３０３の初期画面から身体モデル４００が拡大された場合の検査画像エリア３０３の画面表示例を示している。ユーザは、医用画像データ５００上を除く検査画像エリア３０３の領域内にポインタが表示されている状態において、マウスの右のボタンをクリックし、キーボード上のｃｔｒｌキーを押しながらマウスを上にドラッグする。これにより、身体モデル４００を拡大させることができる。
【００２２】
図３（ｄ）は、図３（ｃ）の検査画像エリア３０３の初期画面から身体モデル４００の体幹を軸に身体の前方が右に向くように身体モデル４００を回転させた場合の検査画像エリア３０３の画面表示例を示している。ユーザは、医用画像データ５００上を除く検査画像エリア３０３の領域内にポインタが表示されている状態において、マウスの左右のボタンを同時にクリックし、キーボード上のｃｔｒｌキーを押しながらマウスを右にドラッグする。これにより、身体モデル４００を拡大させることができる。
【００２３】
身体モデル４００を回転させると、身体モデル４００の表示方向が変るため、各医用画像データの優先順位が変更される。図３（ｃ）及び図３（ｄ）における医用画像データ５０１は、正面から記録された医用画像データ（正面図）であり、正面から撮影された情報（具体的には、撮影部位を正面から指したベクトル情報）が付与されている。また、図３（ｃ）及び図３（ｄ）における医用画像データ５０２は、側面から記録された医用画像データ（側面図）５０２であり、側面から撮影された情報（具体的には、撮影部位を右側面から指したベクトル情報）が付与されている。
【００２４】
図３（ｃ）では、身体モデル４００が正面方向から表示されているため、医用画像データ（側面図）５０２より前面に医用画像データ（正面図）５０１が表示される。図３（ｄ）では、身体モデル４００が側面方向から表示されているため、医用画像データ（正面図）５０１より前面に医用画像データ（側面図）５０２が表示される。
【００２５】
ここでは、体幹を軸とした回転の例を示したが、これに限るものでなく、体幹と垂直な方向を含めた立体的な回転も含まれる。このようにすると、例えば頭頂部の方向から、又は、肩周辺を斜め後方から、身体モデル４００を表示させる等、身体モデル４００を全方位的に表示させることができる。これにより、ＣＴやＭＲＩ等、一連のスライス画像データから合成された３次元画像データをある角度からキャプチャした画像データや、例えば皮膚科や美容整形等で用いられるような皮膚表面をデジタルカメラ等で撮影した画像データ等、自由なアングルから撮影できる装置の医用画像データにも適用することができる。
【００２６】
図４は、本発明の第１の実施形態に係る医用画像表示装置１０の処理を示すフローチャートである。即ち、図４（ａ）は、身体モデルの移動操作が行われた場合に実行される処理を示しており、図４（ｂ）は、検査画像エリア３０３において指定された医用画像データが指定画像エリア３０２に格納される処理を示している。なお、図４に示す処理は、ＣＰＵ２００がＲＯＭ２０２等の記録媒体から必要なデータやプログラムをＲＡＭ２０１に読み出し、実行することで実現する処理である。
【００２７】
ステップＳ１０１において、ＣＰＵ２００は、各医用画像データの優先順位の決定機能を設定する。即ち、ＣＰＵ２００は、優先順位を決定する際、医用画像データの撮影方向、医用画像データの撮影日時、医用画像データの更新日時、医用画像データを撮影した医用画像表示装置１０の種類、及び、計算機支援診断（ＣＡＤ）の結果のうち、どれを重視して優先順位を決定するかを設定する。なお、この設定は、ユーザの操作に応じて行われる。また、優先順位の決定機能が変更されていない場合、前回設定された優先順位の決定機能がそのまま流用されることになる。
【００２８】
ステップＳ１０２において、ＣＰＵ２００は、ステップＳ１０１で設定した優先順位の決定機能を用いて、各医用画像データの優先順位を決定する。ステップＳ１０３において、ＣＰＵ２００は、決定した優先順位に従って、身体モデル上に医用画像データを表示させる。ステップＳ１０４において、ＣＰＵ２００は、身体モデルが移動したか否かを判定する。身体モデルが移動した場合、処理はステップＳ１０５に移行する。一方、身体モデルが移動していない場合、処理はステップＳ１０６に移行する。
【００２９】
ステップＳ１０５において、ＣＰＵ２００は、移動後の身体モデル上に医用画像データを再表示する。ステップＳ１０６において、ＣＰＵ２００は、身体モデルが拡大又は縮小したか否かを判定する。身体モデルが拡大又は縮小した場合、処理はステップＳ１０７に移行する。一方、身体モデルが拡大又は縮小していない場合、処理はステップＳ１０８に移行する。
【００３０】
ステップＳ１０７において、ＣＰＵ２００は、拡大又は縮小後の身体モデル上に医用画像データを再表示する。ステップＳ１０８において、ＣＰＵ２００は、身体モデル上に表示されている医用画像データ５００の表示サイズが変更されたか否かを判定する。医用画像データの表示サイズが変更された場合、処理はステップＳ１０９に移行する。一方、医用画像データの表示サイズが変更されていない場合、処理はステップＳ１１０に移行する。
【００３１】
ステップＳ１０９において、ＣＰＵ２００は、表示サイズ変更後の医用画像データを身体モデル上に再表示する。ステップＳ１１０において、ＣＰＵ２００は、身体モデルが回転したか否かを判定する。身体モデルが回転した場合、処理はステップＳ１１１に移行する。一方、身体モデルが回転していない場合、処理はステップＳ１１２に移行する。
【００３２】
ステップＳ１１１において、ＣＰＵ２００は、回転後の身体モデル上に医用画像データを再表示させる。身体モデルの回転は、身体モデルの表示方向の変化により検知すればよい。身体モデルの表示方向が変更されると、それに伴って、各医用画像データの優先順位も変更される。従って、回転後の身体モデル上では、変更後の優先順位に従った位置に各医用画像データが再表示されることになる。
【００３３】
ステップＳ１１２において、ＣＰＵ２００は、ユーザの操作に応じて、医用画像データが選択されたか否かを判定する。医用画像データが選択された場合、処理はステップＳ１１４に移行する。一方、医用画像データが選択されていない場合、処理はステップＳ１１３に移行する。ステップＳ１１３において、ＣＰＵ２００は、医用画像データの選択終了がユーザにより入力されたか否かを判定する。医用画像データの選択終了が入力された場合、処理は終了する。一方、医用画像データの選択終了が入力されていない場合、処理はステップＳ１０３に移行する。
【００３４】
ステップＳ１１４において、ＣＰＵ２００は、ステップＳ１１２にて選択された医用画像データの優先順位を最上位に設定する。これにより、選択された医用画像データが他の医用画像データの背面に隠れていても、選択された医用画像データを最前面に表示させることができるため、当該医用画像データの全領域を確認することが可能となる。なお、ステップＳ１１２における医用画像データの選択方法は、例えば、対象となる医用画像データ上でマウスの左ボタンを１クリックすることにより行われる。その他、検査画像エリア３０３でマウスを右クリックすることにより医用画像データのリストを表示し、そのリストから対象となる医用画像データを選択することにより行ってもよい。
【００３５】
ステップＳ１１５において、ＣＰＵ２００は、ユーザの操作に応じて、ステップＳ１１２にて選択された医用画像データが決定されたか否かを判定する。医用画像データが決定された場合、処理はステップＳ１１６に移行する。一方、医用画像データが決定されていない場合、処理はステップＳ１２１に移行する。ステップＳ１１６において、ＣＰＵ２００は、ステップＳ１１５にて決定された医用画像データを拡大表示させる。なお、身体モデル４００上に表示されている医用画像データは、縮小された医用画像データであるため、その詳細を確認できるように医用画像データを拡大表示させている。なお、ステップＳ１１５における医用画像データの決定方法は、例えば、対象となる医用画像データ上でマウスの左ボタンを連続クリックすることにより行われる。その他、検査画像エリア３０３でマウスを右クリックすることにより医用画像データのリストを表示し、そのリストから対象となる医用画像データを選択することにより行ってもよい。勿論、ステップＳ１１６における医用画像データの拡大率は任意に変更することが可能であり、もし、医用画像データの全部を表示することができなければ、当該医用画像データを移動できるようにしてもよい。
【００３６】
ステップＳ１１７において、ＣＰＵ２００は、ユーザの操作に応じて、拡大表示された医用画像データが指定されたか否かを判定する。拡大表示された医用画像データが指定された場合、処理はステップＳ１１８に移行する。一方、拡大表示された医用画像データが指定されなかった場合、処理はステップＳ１１９に移行する。ステップＳ１１８において、ＣＰＵ２００は、指定された医用画像データを指定画像エリア３０２に格納する。ステップＳ１１８における医用画像データの指定方法は、例えば、拡大表示された医用画像データを指定画像エリア３０２にドラッグアンドドロップすることにより行われる。その他、検査画像エリア３０３でマウスを右クリックすることにより医用画像データのリストを表示し、そのリストから対象となる医用画像データを選択することにより行ってもよい。
【００３７】
以上により、本実施形態によれば、検査画像エリア３０３に表示される複数の医用画像データ５００のうち、指定すべき医用画像データ５００を指定画像エリア３０２に格納させることが可能となる。
【００３８】
ステップＳ１１９において、ＣＰＵ２００は、医用画像データ上を除く検査画像エリア３０３の領域がユーザにより指定されたか否かを判定する。医用画像データ上を除く検査画像エリア３０３の領域が指定された場合、処理はステップＳ１２０に移行する。一方、医用画像データ上を除く検査画像エリア３０３の領域が指定されていない場合、処理はステップＳ１１６に戻る。ステップＳ１２０において、ＣＰＵ２００は、拡大表示されている医用画像データが指定されなかったとみなし、当該医用画像データの拡大表示を終了する。なお、医用画像データ上を除く検査画像エリア３０３の領域の指定方法は、例えば、医用画像データ上を除く検査画像エリア３０３の領域上でマウスの右ボタンを１クリックすることにより行われる。
【００３９】
ステップＳ１２１において、ＣＰＵ２００は、身体モデルに重畳表示される全ての医用画像データをサムネイル表示し、そのうちから指定画像エリア３０２に格納される医用画像データが指定されたか否かを判定する。医用画像データが指定された場合、処理はステップＳ１１８に移行する。一方、医用画像データが指定されていない場合、処理は終了する。即ち、本実施形態では、拡大表示された医用画像データを指定して指定画像エリア３０２に格納させる方法と、指定画像エリア３０２に格納させる医用画像データをサムネイル表示された医用画像データから指定する方法とがある。
【００４０】
本実施形態においては、身体モデル上において医用画像データが重畳される位置から当該医用画像データの撮影部位を直感的に確認することができる。また、医用画像データの数が膨大であっても、身体モデルを操作して目的の医用画像データを効率的に指定することが可能となる。
【００４１】
次に、本発明の第２の実施形態について説明する。第２の実施形態に係る医用画像表示装置の構成は、図１に示した構成と同様であるため、その説明を省略する。また、以下の説明においても、第１の実施形態の説明で用いた符号を流用するものとする。
【００４２】
図５は、第２の実施形態における検査画像エリア３０３の画面例を示す図である。図５（ａ）は、検査画像エリア３０３の初期画面例を示している。図５（ａ）の例では、身体モデル４００の胸部左側に画像グループ６００が表示されている。画像グループ６００は、複数の医用画像データ５００により構成される。ここでは、所定の表示基準を満たしていない医用画像データ５００が複数存在する場合、当該複数の医用画像データ５００によって画像グループ６００が構成される。例えば、優先順位に従って医用画像データ５００を身体モデル４００に重畳表示した場合、或る医用画像データが他の医用画像データの背後に隠れることにより、背後に隠れた医用画像データが所定の割合以上が表示されないことがある。このような医用画像データが複数存在する場合、当該複数の医用画像データにより画像グループ６００が構成される。その他、設定される撮影部位が表示されていない医用画像データが複数存在する場合、当該複数の医用画像データにより画像グループ６００を構成してもよい。どのような表示基準に基づいて画像グループ６００を構成するかは、ユーザの操作に応じて任意に設定することができる。
【００４３】
画像グループ６００は、医用画像データ５００とは区別できるように表示され、ここでは、画像グループ６００を構成する複数の医用画像データのうち、代表的な医用画像データの背面に影を表示させることにより、画像グループ６００であることを示している。勿論、画像グループ６００の表示態様は、これに限るものでなく、上記代表的な医用画像データの外形線の線種を変えたり、色を変えたりして画像グループ６００であることを示してもよい。代表的な医用画像データとしては、画像グループ６００に含まれる医用画像データのうちの任意の医用画像データを選択してもよいが、例えば、画像グループ６００に含まれる医用画像データのうち、最上位の優先順位が付与された医用画像データを代表的な医用画像データとして決定してもよい。
【００４４】
また、本実施形態では、画像グループ６００を構成する複数の医用画像データの一覧表示を行うことができる。図５（ｂ）の６０１は、画像グループ６００内の医用画像データを優先順位に従って配置した状態を示している。このように表示することにより、画像グループ６００内の医用画像データを、身体モデル４００の表示方向やその他の優先順位の決定項目を反映させて表示させることができる。
【００４５】
図５（ｃ）の６０２は、画像グループ６００内の医用画像データを、医用画像データの撮影日時に応じて医用画像データを横方向に配置し、医用画像データを撮影した医用画像撮影装置の種類に応じて医用画像データを縦方向に配置した状態を示している。これにより、横方向で医用画像データを比較すると、撮影部位の経時変化を見ることができる。また、縦方向で医用画像データを比較すると、同じ日時に撮影された医用画像データのうち、任意の医用画像撮影装置で撮影された医用画像データを選択することが可能となる。
【００４６】
図６は、本発明の第２の実施形態に係る医用画像表示装置１０の処理を示すフローチャートである。即ち、図６（ａ）は、身体モデルの移動操作が行われた場合に実行される処理を示しており、図６（ｂ）は、検査画像エリア３０３において指定された医用画像データが指定画像エリア３０２に格納される処理を示している。なお、図６において図４と同一処理には同一符号を付しており、以下では、第１の実施形態と相違する処理に主眼をおいて説明を行うものとする。また、図４に示す処理は、ＣＰＵ２００がＲＯＭ２０２等の記録媒体から必要なデータやプログラムをＲＡＭ２０１に読み出し、実行することで実現する処理である。
【００４７】
ステップ２０１において、ＣＰＵ２００は、所定の表示基準を満たしていない医用画像データが所定の範囲内において複数存在するか否かを判定する。なお、上記所定の範囲とは、ユーザによって撮影部位が近傍に位置すると判断される範囲であり、ユーザの操作に応じて任意に設定可能な範囲である。所定の表示基準を満たしていない医用画像データが複数存在しない場合、処理はステップＳ１０４に移行する。一方、所定の表示基準を満たしていない医用画像データが複数存在する場合、処理はステップＳ２０２に移行する。ステップＳ２０２において、ＣＰＵ２００は、所定の表示基準を満たしていない複数の医用画像データにより画像グループを生成する。
【００４８】
なお、ステップＳ１０７で身体モデルが拡大又は縮小されたり、ステップＳ１０９で医用画像データの表示サイズが変更されると、ステップＳ２０３において、ＣＰＵ２００は、画像グループを削除する。身体モデルが拡大又は縮小されたり、医用画像データの表示サイズが変更されると、身体モデルと医用画像データとのサイズの関係が相対的に変更する。そのため、上記所定の表示基準に沿って画像グループに含まれる医用画像データが判定され、画像グループが再構成される。同様に、ステップＳ１１１で身体モデルが回転されると、ステップＳ２０４において、ＣＰＵ２００は、画像グループを削除する。そして、ステップＳ１０２において、ＣＰＵ２００は、回転後の身体モデルの表示方向に基づいて各医用画像データの優先順位を再決定する。
【００４９】
ステップＳ１１２において、ユーザにより医用画像データが選択された場合、第１の実施形態と同様に処理はステップＳ１１５に移行する。一方、ステップＳ１１２において、ユーザにより医用画像データが選択されてない場合、処理はステップＳ２０５に移行する。ステップＳ２０５において、ＣＰＵ２００は、ユーザの操作に応じて、画像グループが選択されたか否かを判定する。画像グループが選択された場合、処理はステップＳ２０６に移行する。一方、画像グループが選択されていない場合、処理はステップＳ１１３に移行する。なお、ステップＳ２０５における画像グループの選択方法は、ステップＳ１１２における医用画像データの選択方法と同様であり、選択対象が医用画像データから画像グループに代わったことだけが相違する。
【００５０】
ステップＳ２０６において、ＣＰＵ２００は、ステップＳ２０５で選択された画像グループの優先順位を最上位に設定する。これにより、当該画像グループの代表的な医用画像データの全領域を表示させることができる。ステップＳ２０７において、ＣＰＵ２００は、ユーザの操作に応じて、ステップＳ２０５にて選択された画像グループが決定されたか否かを判定する。画像グループが決定された場合、処理はステップＳ２０８に移行する。一方、画像グループが決定されていない場合、処理はステップＳ１１５に移行する。なお、ステップＳ２０７における画像グループの決定方法は、ステップＳ１１５における医用画像データの決定方法と同様であり、決定対象が医用画像データから画像グループに代わったことだけが相違する。ステップＳ２０８において、ＣＰＵ２００は、ステップＳ２０７にて決定された画像グループ内の医用画像データを一覧表示する。
【００５１】
ステップＳ２０８からステップＳ１１５に処理が移行した場合、ステップＳ１１５では、ＣＰＵ２００は、一覧表示された画像グループ内の医用画像データから所望の医用画像データが決定されたか否かを判定する。ステップＳ１１２からステップＳ１１５に処理が移行した場合、ステップＳ１１５の処理は、第１の実施形態におけるステップＳ１１５と同様の処理となる。
【００５２】
ステップＳ１１５において医用画像データが決定された場合、処理はステップＳ１１６に移行し、その後、第１の実施形態と同様の処理が実行される。一方、ステップＳ１１５において医用画像データが決定されていない場合、処理はステップＳ１２１に移行する。ステップＳ１２１では、第１の実施形態と同様に、身体モデルに重畳表示される全ての医用画像データがサムネイル表示され、そのうちから指定画像エリア３０２に格納される医用画像データが指定されたか否かが判定される。そして、医用画像データが指定された場合、処理はステップＳ１１８に移行する。一方、医用画像データが指定されていない場合、処理はステップＳ２０９に移行する。
【００５３】
ステップＳ２０９において、ＣＰＵ２００は、画像グループ上を除く検査画像エリア３０３の領域がユーザにより指定されたか否かを判定する。画像グループ上を除く検査画像エリア３０３の領域が指定された場合、処理はステップＳ２１０に移行する。一方、画像グループ上を除く検査画像エリア３０３の領域が指定されていない場合、処理はステップＳ２０８に戻る。なお、ステップＳ１１８において、指定された医用画像データが指定画像エリア３０２に格納された後も、処理はステップＳ２１０に移行する。ステップＳ２１０において、ＣＰＵ２００は、画像グループ内の医用画像データの一覧表示を終了する。
【００５４】
第２の実施形態においては、第１の実施形態と同様に、身体モデル上において医用画像データが重畳される位置から当該医用画像データの撮影部位を直感的に確認することができる。また、医用画像データの数が膨大であっても、身体モデルを操作して目的の医用画像データを効率的に指定することが可能となる。
【００５５】
ところで、優先順位に従って医用画像データを重畳表示すれば、優先順位が最上位の医用画像データを確認することはできるが、それ以外の医用画像データを確認することは困難になる。これに対し、第２の実施形態においては、撮影部位が近い医用画像データを画像グループとしてまとめ、画像グループ内の医用画像データを一覧表示させることができる。従って、第２の実施形態によれば、撮影部位の近い医用画像データ同士を比較し、目的の医用画像データを容易に選択することが可能となる。
【００５６】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００５７】
１０：医用画像表示装置、１１：ＰＡＣＳサーバ、１００：画像処理装置、１０１ディスプレイ、１０２：入力機器、１０３：ストレージ、２００：ＣＰＵ、２０１：ＲＡＭ、２０２：ＲＯＭ、２０３：バス、２０４：ディスプレイＩ／Ｆ、２０５：入力Ｉ／Ｆ、２０６：ストレージＩ／Ｆ
【図１】
2014073156.tif 000003
【図２】
2014073156.tif 000004
【図３】
2014073156.tif 000005
【図４】
2014073156.tif 000006
【図５】
2014073156.tif 000007
【図６】
2014073156.tif 000008